(57)【要約】イベントを放送する通信方法を提供する。これは、イベントでの複数のメディアストリームを生成すること及びメディアストリームを受信するサービスを提供することを含む。このサービスから、メディアストリームのサブセットを選択するインタフェースを生成できる。メディアストリームは、音声、映像、又は、イベントにて提供される代替放送通信路から選択される他のフォーマットを含む。
2009528792.tif 000002
【特許請求の範囲】
【請求項１】
イベントを放送する通信方法であって、
イベントでの複数のメディアストリームを生成し、
前記メディアストリームを受信するサービスを行い、
前記メディアストリームのサブセットを選択するインタフェースを生成することを備える方法。
【請求項２】
前記メディアストリームは、映像データ、メタデータ、音声データ、又は、文字情報を備える、請求項１に記載の方法。
【請求項３】
前記メディアストリームに従って通知を生成することを更に備える、請求項２に記載の方法。
【請求項４】
共用開催地放映（venue cast）ネットワークの一部として前記メディアストリームを生成することを更に備える、請求項１に記載の方法。
【請求項５】
少なくとも２つのメディア配信システム（ＭＤＳ）で前記メディアストリームを生成することを更に備える、請求項１に記載の方法。
【請求項６】
指定市内扱者インフラストラクチャ（local operator infrastructure）（ＬＯＩ）内の少なくとも第２のネットワークについてモニタリングすることを更に備える、請求項５に記載の方法。
【請求項７】
実質的に常時、開催地放映信号についてモニタリングすることを更に備える、請求項１に記載の方法。
【請求項８】
ネットワーク内の無線周波数（ＲＦ）割付表をモニタリングすることを更に備える、請求項１の方法。
【請求項９】
前記メディアストリームをプログラムガイドから選択することを更に備える、請求項１に記載の方法。
【請求項１０】
異なる放送通信路として異なるイベント現場を放送することを更に備える、請求項９に記載の方法。
【請求項１１】
端末にて複数のカメラビューを生成することを更に備える、請求項１に記載の方法。
【請求項１２】
同時にマルチデータストリームを復号することを更に備える、請求項１１に記載の方法。
【請求項１３】
前記マルチデータストリームの選択されるパケット又は層を復号することを更に備える、請求項１２に記載の方法。
【請求項１４】
時空間予測に関連するコード化された視野を生成することを更に備える、請求項１１に記載の方法。
【請求項１５】
空間層コーデックのベース層として１／４ビデオグラフィックアレイパネルを更に備える、請求項１１に記載の方法。
【請求項１６】
前記ベース層を採用して１次視野を提供し、強化層を採用して１つの２次視野から多くの視野までを提供することを更に備える、請求項１５に記載の方法。
【請求項１７】
縮小したフレーム率で視野を生成することを更に備える、請求項１に記載の方法。
【請求項１８】
ポップ（pop to）するカーソルビューに前記インタフェースを生成する、請求項１に記載の方法。
【請求項１９】
前記メディアストリームを受信するために有効化構成部を採用することを更に備える、請求項１に記載の方法。
【請求項２０】
前記有効化構成部は、装置が前記メディアストリームを受信するためのキーを生成する、請求項１９に記載の方法。
【請求項２１】
前記有効化構成部は、測位システムに関連している、請求項５に記載の方法。
【請求項２２】
開催地放映ネットワークの可用性を判断するために測位システムを使用することを更に備える、請求項１に記載の方法。
【請求項２３】
イベントにて放送される利用可能なメディアチャネルを生成する命令を保持するメモリと、
前記命令を実行するプロセッサと、を備え、
前記メディアチャネルは、インタフェース構成部の一部として提供され、前記メディアチャネルは、サブセットを前記イベントにて選択できる１組のチャネルとして提供される、通信装置。
【請求項２４】
開催地放映ネットワークの１つ又はそれ以上の層で、前記メディアチャンネルを生成することを更に備える、請求項２３に記載の通信装置。
【請求項２５】
装置が前記メディアチャンネルを受信するように有効にされているか否か判断する構成部を更に備える、請求項２４に記載の通信装置。
【請求項２６】
前記メディアチャンネルに関連するコーデックを操作することを更に備える、請求項２３に記載の通信装置。
【請求項２７】
イベントでの複数のメディアストリームを放送する手段と、
前記メディアストリームを受信するサービスを有効にする手段と、
所望の視聴に向けて前記メディアストリームのサブセットを選択するために前記メディアストリームとインタフェースする手段と、
を備える通信装置。
【請求項２８】
コンピュータに、１つ又はそれ以上のメディアストリームに関連した、イベントでの複数のメディアチャンネルを生成させる第１の組のコードと、
前記コンピュータに、前記メディアストリームを処理するサービスを管理させる第２の組のコードと、
前記コンピュータに、前記メディアストリームのサブセットが選択できる１組の利用可能なメディアストリームを提供させる第３の組のコードと、
を備える機械実行可能命令が記憶された機械可読媒体を備えるコンピュータプログラム製品。
【請求項２９】
前記コンピュータに、前記メディアストリームを受信するために１つ又はそれ以上の装置を有効にさせる第４の組のコードを更に備える、請求項２８に記載の機械可読媒体。
【請求項３０】
前記コンピュータに、前記１つ又はそれ以上の装置を有効にするために電子キー又は測位システムを採用させる第５の組のコードを更に備える、請求項２９に記載の機械可読媒体。
【請求項３１】
イベントでの複数のメディアストリームを生成する第１のモジュールと、
前記メディアストリームを受信するために１つ又はそれ以上の装置を有効にする第２のモジュールと、
前記イベントでの前記メディアストリームのサブセットを選択する第３のモジュールと、を備えるプロセッサ。
【請求項３２】
イベントでメディアデータを受信するする通信方法であって、
イベントでの複数のメディアストリームを受信し、
前記メディアストリームを受信するサービスを有効にし、
前記イベントでの前記メディアストリームのサブセットを選択するインタフェースを操作すること、を備える方法。
【請求項３３】
前記メディアストリームは、映像データ、音声データ、又は、文字情報を備える、請求項３２に記載の方法。
【請求項３４】
ネットワーク内の無線周波数（ＲＦ）割付表をモニタリングすること更に備える、請求項３２に記載の方法。
【請求項３５】
前記メディアストリームをプログラムガイドから選択することを更に備える、請求項３２に記載の方法。
【請求項３６】
端末にて複数のカメラビューを生成することを更に備える、請求項３２に記載の方法。
【請求項３７】
イベントでの複数のメディアチャンネルを受信する命令を保持するメモリと、
前記命令を実行するプロセッサと、を備え、
前記メディアチャネルは、インタフェースの一部として受信され、前記メディアチャネルは、サブセットを前記イベントにて選択できる１組のチャネルとして提供される通信装置。
【請求項３８】
前記メディアチャンネルを受信する装置を有効にする構成部を更に備える、請求項３７に記載の通信装置。
【請求項３９】
イベントでの複数のメディアストリームを受信する手段と、
前記メディアストリームを受信するサービスを有効にする手段と、
所望の視聴に向けて前記メディアストリームのサブセットを選択するために前記メディアストリームとインタフェースする手段と、
を備える通信装置。
【請求項４０】
機械実行可能命令が記憶された機械可読媒体と、
コンピュータに、１つ又はそれ以上のメディアストリームに関連した、イベントでの複数のメディアチャンネルを受信させる第１の組のコードと、
前記コンピュータに、前記メディアストリームを処理するサービスを有効にさせる第２の組のコードと、
前記コンピュータに、前記イベントでの前記複数のメディアチャンネルから前記メディアストリームのサブセットを選択させる第３の組のコードと、
を備えるコンピュータプログラム製品。
【請求項４１】
イベントでの複数のメディアストリームを受信する第１のモジュールと、
前記メディアストリームを受信する少なくとも１つの装置を有効にする第２のモジュールと、
前記イベントでの前記メディアストリームのサブセットを選択する第３のモジュールと、
を備えるプロセッサ。
【発明の詳細な説明】
【技術分野】
【０００１】
（アメリカ合衆国法典第３５巻「特許法」第１１９条に基づく優先権の主張）
本特許出願は、２００６年２月２７日に出願され、本出願の譲受人に譲渡され、かつ、引用により本明細書に明示的に組み入れられる、「開催地放映サービス」という名称の特許仮出願第６０／７７７，５３２号の優先権を主張するものである。
【０００２】
以下の説明は、一般的に、通信システムに関するものであり、更に詳しくは、競技場ななどの開催地の境界内での無線装置向けの放送及び様々なメディアチャンネルの選択に関するものである。
【背景技術】
【０００３】
無線通信システムは、様々なタイプの通信を行なうために広く展開されており、例えば、音声及び／又はデータを当該無線通信システムを介して供給できる。一般的な無線通信システム、又は、ネットワークは、複数のユーザに１つ又はそれ以上の共用リソースへのアクセスを提供できる。例えば、システムは、周波数分割多重化（ＦＤＭ）、時分割多重化（ＴＤＭ）、符号分割多重化（ＣＤＭ）、直交周波数分割多重（ＯＦＤＭ）及びその他などの様々なマルチアクセス技術を用いることができる。
【０００４】
共通の無線通信システムは、一般に、適用エリア(coverage area)を提供する１つ又はそれ以上の基地局を利用する。一般的な基地局は、ブロードキャストサービス、マルチキャスト、及びユニキャストサービスに向けて多重データストリームを伝送することができ、データストリームは、ユーザ装置に独立した受信嗜好のある可能性があるデータストリームである。当該基地局の適用エリア内のユーザ装置は、合成ストリームにより搬送されるデータストリームの１つ、1つ以上、又は全てを受信するために使用できる。同様に、ユーザ装置は、基地局又は別のユーザ装置にデータを伝送できる。
【０００５】
無線通信システムは、スポーツ競技、政治演説などのテレビ放送として特定のイベントに関連した情報を放送するために実行できる。当該のテレビ放送されたか、又は、他の方法で放送されたイベントの視聴者は、任意の特定の時間にイベントの１回の視聴を提供する信号を受信できる。時には、放送装置は、２つの角度からイベントを見せる「分割スクリーン」ビューアを提供できる、しかしながら、遠隔地でイベントを見る視聴者は、所望の視角又はカメラ撮影を選択することができない。イベントに臨む視聴者さえ、自分の相対位置からイベントソースまでの視角に、又は、閉回路テレビ画面上の規定のカメラアングルに限定される。したがって、前述の種々の不十分な点を克服して無線通信環境内でのユーザの体験を高めることを容易にするシステム及び方法に対する必要性が当分野において存在する。
【発明の開示】
【発明の概要】
【０００６】
以下は、本発明の一部の態様の基本的な理解が得られるように簡素化した要約を呈示している。この要約は、広範囲にわたる概要でなく、かつ、重要な／極めて重要な要素を特定したり、又は、本発明の範囲を表したりすることを意図したものではない。この唯一の目的は、後述するより詳細な説明の前書きとして一部の概念を簡素化した形で呈示することである。
【０００７】
複数のメディアチャンネル及びデータストリームは、スポーツ及び音楽イベントなどの開催地の範囲内で放送され、そこでは、移動装置を操作するユーザは、利用可能なものとして様々な所望の視野又は他のメディアオプションを受信及び選択できる。一般に、競技場、例えば、ナスカー（NASCAR）、フォーミュラ１（Formula 1）、ケンタッキダービ（Kentucky Derby）などのスポーツ施設では、当該イベントでの装置から表示されるように選択できる同時に動作する多くの異なるカメラアングル又は他のメディアストリームが得られる。当該メディアストリームは、たとえば、フットボール、バスケットボール、野球及びコンサートを含む他のイベントでも利用可能である。家庭にいる視聴者は、一般的に、放送網により配信される単一のビューを受信するか、又は、視聴者への高解像度（ＭＤ）又は標準定義（ＳＤ）伝送に向けて採用された大きな帯域幅のために、恐らくは、せいぜい、限られた数のビューを受信する。イベントに臨んでいるファンにとって、これは、カメラビューの多くの又は全ては、装置又は送受器、更に具体的には、携帯電話又は他の移動装置に直に供給できることからそうである必要がない。
【０００８】
１つの態様においては、映像、音声、テキストなどを含むメディアチャンネルのサブセットが特定の開催地に臨むユーザに提供される移動体放送フォーマットを採用する開催地放映アプリケーションを提供する。１つの特定の実行例においては、無線オペレータは、利用可能な通信周波数及び／又は他の所有スペクトル割当を使用してサービスを実行できる。大半の場合、スポーツイベントの視聴者には、イベントの単一の映像バージョンが供給され、それでも、実際の開催地では、複数のカメラビューが利用可能であることが多い。これらは、一般に、ジャンボトロン又は類似の画面が１度に１つのカメラビューを実行するイベントに臨む人でさえも利用不可能である。多重通信路及び関連のブロードキャストフォーマットにより、ユーザは、当該イベントでの全体的メディア体験を向上させるために特定のイベントにて放送される利用可能なメディアチャンネル及び代替メディアチャンネルから選択できる。
【０００９】
前述及び関連した目的の達成に対して、以下の説明及び添付図面に関連して特定の例示的な態様を以下で説明する。しかしながら、これらの態様は、本発明の諸原理を採用することができ、かつ、本発明が全ての当該の態様及び均等物を含むことが意図する様々な点の数点のみを示すものである。他の利点及び新規な特長は、図面に関連して考慮したときに以下の詳細な説明から明らかになるであろう。
【詳細な説明】
【００１０】
実況イベントでのマルチメディア体験を容易にするシステム及び方法を提供する。一態様においては、イベントを放送する通信方法を提供する。これは、イベントでの複数のメディアストリームを生成して、かつ、メディアストリームを受信するサービスを提供することを含む。そのサービスから、メディアストリームのサブセットを選択するインタフェースを生成できる。メディアストリームは、イベントで提供された代案放送形通信路から選択される音声、映像又は他のフォーマットを含む。このようすると、無線オペレータは、イベントの特定の遠景からは利用不可能である他のビュー又はデータを示すことができる様々なデータストリームで自分たちの生の体験を補う。
【００１１】
更に、様々な態様を端末に関連して本明細書で説明する。端末は、システム、ユーザ装置、加入者装置、加入者ステーション、移動局、移動装置、遠隔局、遠隔端末、アクセス端末、ユーザ端末、ユーザエージェント又はユーザ機器とすることができる。ユーザ装置は、移動電話、コードレス電話、セション開始プロトコル（ＳＩＰ）電話、無線ローカルループ（ＷＬＬ）ステーション、ＰＤＡ、無線接続能力を有する携帯装置、端末内のモジュール、ホスト装置に装着するか、ホスト装置と一体化できるカード（例えば、ＰＣＭＣＩＡカード）、又は、無線モデムに接続された他の処理装置とすることができる。
【００１２】
更に、本発明の種々の態様は、本発明の様々な態様を実行するために、ソフトウェア、ファームウェア、ハードウェア、又は、その任意の組み合わせを生成してコンピュータ又は演算構成部を制御する標準的なプログラミング及び／又はエンジニアリング技法を用いて、方法、装置、又は製品として実行できる。本明細書で使用されるときの「製品」という用語は、任意のコンピュータ可読装置、搬送波又は媒体からアクセス可能なコンピュータプログラムを包含する。例えば、コンピュータ可読媒体は、磁気記憶装置（例えば、ハードディスク、フロッピー（登録商標）ディスク、磁気ストリップ...）、光ディスク（例えば、コンパクトディスク（ＣＤ）、デジタル多用途ディスク（ＤＶＤ...）、スマートカード、及びフラッシュメモリ装置（例えば、カード、スティック、キードライブ...）を含むことができるが、これらに限定されない。更に、搬送波は、音声メールを送受信する際に、又は、携帯電話ネットワークなどネットワークにアクセスする際に使用されるものなどのコンピュータ可読電子データを、搬送するために採用できることを認識されたい。言うまでもなく、当業者は、本明細書で説明する内容の範囲又は精神から逸脱することなく、多くの改変をこの構成に行なうことができることを認識するであろう。
【００１３】
ここで図１を参照すると、システム１００は、無線通信環境での開催地放映を例示している。開催地１１０は、イベントに対して、又は、他のイベントに関して、音声、映像、テキストなどのタイプのメディア又は他の形を生成できる区域又は場所となる。図示するように、開催地放映網１２０により、１つ又はそれ以上のオペレータ又はユーザ端末１３０は、開催地１１０での複数のメディアストリーム１４０を受信できる。例えば、開催地１１０で競技されるフットボール競技では、メディアストリーム１４０に関連づけられる利用可能な異なるカメラビューが６つあるとすることができる。同じイベントで、様々な音声ストリームをメディアストリーム１４０に関連づけることもできる。例えば、地元チーム音声放送及び遠征チーム音声放送である。更に別の実施例においては、メディアストリーム1４０は、文字情報などの別の形のメディアを含む。例えば、メディアストリーム１４０は、地元以外での得点又は他の情報を含む。
【００１４】
利用可能なメディアストリーム１４０から、端末１３０のオペレータは、受信したいストリームのサブセットを選択できる。例えば、１３０の第１の端末オペレータは、無線送受器（例えば、携帯電話、ＰＤＡ、ラップトップＰＣ）の分割画面ビューとしてカメラビュー１及び２を選択して、１組の可能な音声フィードから地元以外の音声放送を選択することを決定できる。以下で更に詳細に説明するように、ユーザが表示又は傾聴に向けて所望のメディアストリームを選択することを可能にする種々のインタフェースを端末１３０で提供できる。別の態様においては、メディアストリーム１４０を介して他の感覚による受信を可能にする通知を有効とすることができる。例えば、メディアストリームのうちの少なくとも１つにより反射されるように開催地以外のチームの得点が変ったときに電話を振動させるというものである。他の通知は、機械式なビープ音、ポップアップディスプレイなどを含む実質的に任意のタイプの出力を含む。図示するように、随意的な有効化成分１５０を提供できる。これらの成分１５０は、開催地放映網１２０への参加を制限するために提供できる。例えば、端末１３０には、開催地放映網１２０の受信が始まる前に、開催地１１０内で電子キー又は他の有効化構成部１５０を受信するように要求できる。以下で更に詳細に説明するように、それぞれの開催地放映サービスに向けた随意的な有効化構成部として場所検出成分を使用できる。
【００１５】
１つの特定の実施例においては、イベント参加者は、開催地１１０内で専用周波数にて信号を操作する無線サービスプロバイダにより向上した体験をすることが可能である。これらのサービスは、所望であれば既存のネットワークと関連して提供できる。ネットワーク１２０によるものであり、かつ、メディアストリーム１４０により供給される開催地放映コンテンツは、別個のネットワークとして、又は、既存のネットワークのサービス提供の不可欠部分として処理できる。別個のネットワーク方式では広域ネットワークと開催地放映網１２０との間で最大の独立性が得られるが、少なくとも２つのメディア配信システム（ＭＤＳ）、即ち、各ネットワークに１つを運営する経費にて得られる。第２の態様では、ネットワーク１２０での開催地放映コンテンツを単一の共用ネットワークに組み込む。こちらの方が、ＢＣＳ及びコンテンツ小売業者当たりに利用可能なＲＦ信号として場所を発表する市内扱者インフラストラクチャ（ＬＯＩ）（local operator infrastructure）波形から、開催地放映場所の存在が装置又は端末１３０により容易に発見されるので、ロバスト(robust)なものとすることができる。端末１３０は、開催地放映網１２０信号が存在する状態でＬＯＩ内にある間にたまに開催地放映搬送波がないかチェックできる。開催地の外側から開催地放映網１２０へのアクセスを取得する個人に関連した諸問題があることがある。端末１３０のオペレータ又はユーザは、契約上義務付けられている場合には、以下で更に詳細に説明するように、開催地内の売店又は類似の売店でイベントに必要とされるキー（又は他のイネーブラ１５０）を物理的に要求しなければならないことがある。有効化コードなどを受信するためにブルートゥース又は他の類似の短距離通信を採用できる。ネットワーク１２０へのアクセスを限定する要件は、物理的に当該スポーツ施設にいる個人のみが加入することが許可されるということとすることができる。以下で更に詳細に説明するように、端末測位を伴う特定の方法を適用できる。
【００１６】
端末１３０は、例えば、ＳＤカード、ネットワークカード、無線ネットワークカード、コンピュータ（ラップトップ、デスクトップ、個人用携帯情報端末ＰＤＡを含む）、移動体電話、高度自動機能電話などのモジュール、又は、ネットワーク１２０にアクセスするために利用できる任意の他の適切な端末とすることができる。一般的に、端末１３０は、アクセスノード又は開催地内のノード（図示せず）を経由してネットワーク１２０にアクセスする。例えば、端末１３０は、通信のために、イーサネット（登録商標）ケーブル、ＵＳＢケーブルなど、有線接続を経由してアクセスノードに接続できる。別の実施例においては、端末１３０とアクセスノード間の接続は、性質的に無線とすることができ、そこでは、アクセスノードは、基地局とすることができ、端末は、無線とすることができる。例えば、端末１３０及びアクセスノードは、時分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多重接続（ＯＦＤＭＡ）を含むがこれらに限定されない任意の適切な無線プロトコル、又は、任意の他の適切なプロトコルを経由して通信できる。
【００１７】
端末１３０と同様に、アクセスノードは、有線ネットワーク又は無線ネットワークに関連したアクセスノードとすることが可能である。この目的のために、アクセスノードは、例えば、ルータ、スイッチなどとすることが可能である。アクセスノードは、他のネットワークノードと通信する１つ又はそれ以上のインタフェース、例えば、通信モジュールを含むことが可能である。更に、アクセスノードは、セルタイプのネットワーク内の基地局（又は開催地１１０内の無線アクセスポイント）とすることができ、基地局（又は無線アクセスポイント）は、複数の加入者に無線適用エリアを提供するために利用される。このような基地局（又は無線アクセスポイント）は、開催地１１０内の１つ又はそれ以上の携帯電話及び／又は他の無線端末１３０に隣接する適用エリアを提供するために配置できる。
【００１８】
ここで図２を参照すると、開催地放映環境内の装置用例示的なネットワークサポートオプションが例示されている。この態様において、装置が開催地放映信号を受信できる方法に関するモニタリング方法を説明する。２１０に進んで、合併ガイド提供を伴う２つのネットワーク例（又はそれ以上）を介した開催地放映用装置サポートを行なう。これは、装置（又は端末）が、例えば、広域ネットワークの指定のＬＯＩ内の少なくとも第２のネットワークがないか２２０にてモニタする場合を含む。２２０で行われるタイプのモニタリングは、開催地放映信号を受信する装置にとって、より電力効率が高いものと考えられる。２３０にて、装置は、実質的に全ての利用可能な時間にて、開催地放映信号がないかモニタできる。２３０でのこのオプションは、下位ネットワーク側の複雑性を容易にするものである。
【００１９】
２４０に進んで、既存のネットワーク内での開催地放映用放送に向けたサポートオプションを検討する。これは、開催地放映の存在が、例えば、２５０にてネットワークの無線周波数（ＲＦ）割付表内で見えることを可能にすることを含む。既存のネットワーク内での開催地放映２４０の別のサポート態様は、２６０にて、装置に、開催地放映用放送をサポートする開催地放映信号のＬＯＩ内での存在がないかモニタさせることを含む。２７０にて、端末インタフェースの一部として提供できる番組案内により、単一のＬＯＩ内での複数の開催地放映例が可能である。したがって、一態様においては、異なるイベント現場が、正確なリストが開催地にて配信できると共に帯域内で配信される異なるチャンネルとして登場することが可能である。一般的に、装置側の挙動については、必要とされる更なるネットワーク構成部はない。したがって、開催地放映周波数帯域をサポートしない装置は、それぞれの開催地放映チャンネルを表示したりしない。別の態様においては、測位システムを採用して装置が１つ又はそれ以上の利用可能な開催地放映ネットワークの範囲内にあるか否かを示すことができる。
【００２０】
図３を参照すると、開催地放映装置に関する例示的なインタフェース検討事項３００が例示されている。この点において、利用可能な開催地放映メディアストリームを選択及び視聴するオプションの一部を説明する。３１０にて、複数のカメラビューを開催地放映用途に検討する。先述したように、映像以外のメディアを供給することもできる。一般的に、案内ビュー又はインタフェースを開催地放映メディア信号一式に提供できる。これは、３１０にて、多重カメラビュー用スクロールリスト、例えば、４：１又はＮ：１などを構築することを含む。多重カメラビューは、複数のメディアストリームを同時に復号する送受器に内蔵できる。あるいは、これは、多重ビュー映像符号化が採用される場合には、複数のストリームの選択パケット又は層の復号を含むこともできる。
【００２１】
３１０での多重カメラビューは、例えば、時空間予測に加えてビュー間の予測を伴う、別個に符号化したストリームとして又は単一の３ＤＡＶ又は多重ビュー符号化ストリームとして送ることができる。多重ビュークォータ、クォータビデオグラフィックスアレイ（ＱＱＶＧＡ）パネルを、例えば、ＱＶＧＡで空間層コーデックのベース層として使用できる。あるいは、３１０のビューは、ＱＱＶＧＡ解像度にて符号化することができ、特定のビューを選択すると、単一のビューの品質を回復するために強化アップサンプリングがＱＶＧＡに対して行われる。更なる別の態様は、ベース層と強化層との比を、例えば、１：３又は１：４に適合されているか否かである。この場合、ベース層は、１次ビューを搬送することができ、強化層は、１つの２次ビューから多くの２次ビューまでを搬送できる。ベース層及び強化層は、実質的に全てのビューを受信するために復号することができ、１次ビューについてはベース層のみを復号できる。
【００２２】
３２０に進んで、カスタムビューは、開催地放映ネットワークで提供しかつ受信できる。例えば、カスタムビューは、恐らくは、潜在的にフレーム補間又はＦＲＵＣを介して強化されたより遅いフレーム速度又は更新速度のビュー及びフルフレーム速度での予め符号化された多重ビューを含む。認識できるように、画面又はビューを混在させることができる。したがって、端末上の画面用の１つの部分は、通常フレーム速度のビューを表示することができ、端末画面の別の部分は、カスタムビュー３２０を表示できる。３３０に進んで、インタフェースビュー３００は、一体化された「ポップする」カーソルモードを含むことができる。これは、次の秒（又は他の時間）に備えて取得できる強調表示ビューを含み、所望の又は選択したメディアストリームの全画面ビューモードへの素早いポップを可能にするものである。多重ビューは、選択サブセットのメディアストリームの全画面ビューから、素早くポップで全てのメディアストリームの多重ビューに戻るように取得状態のままとすることができる。
【００２３】
３４０にて、端末に関するコーデックの検討事項として、スポーツ用途又は他のリアルタイムイベントの検討事項のために採用できる待ち時間が少ない（例えば、最大で数秒）符号化を含むことができる。別の場合においては、関連の映像コーデック用Ｉデータを別個のメディア論理チャンネル（ＭＬＣ）で搬送して同時に複数のチャンネルを取得状態に保持する電力消費量を低減できる。したがって、１秒のフレーム速度と同等のものを得るためには、スイッチフレームを、例えば、それぞれのＩフレームに代用できる。同様の方法は、フォワードリンク専用放送より能率が劣る恐れがある共通バーストパターンでの全てのＩフレームなど、特定の構成を介したＤＶＢ−Ｈなど、物理層について採用することもできる。
【００２４】
ここで図４を参照すると、開催地放映環境に関する随意的な装置有効化の検討事項４００が呈示されている。この態様において、どの装置が開催地放映信号を受信できるかに関する制限事項を説明する。上述したように、電子キーなどの潜在的な有効化成分を採用して、開催地放映信号の受信をイベントの支払い済み参加者又はその他の場合でイベントの有効加入者に限定できる。４１０にて、装置が確実に開催地の内側にあるようにする随意的手段として、開催地放映送信器の有限のカバレージを超えて、施設内のイベント用単位暗号化キーを供給するイベントでの売店を含む。売店４１０は、紙を使用することができるか、又は、ブルートゥース又は他の短距離確認周波数を使用できる。一実施例においては、チケット上のバーコードをスキャン（装置又は売店により）して、サービスに対する加入イネーブラの一部として採用できる。
【００２５】
４２０にて、装置の有効化は、場所を判断するための装置の測位を採用することを含む。これは、開催地内の複数の送信器又は広域及び開催地放映の同時サポートを採用できる。４３０にて、装置は、装置の場所を判断して、したがって、装置がそれぞれのイベントに有効化されていることを確認するために全世界測位システム（ＧＰＳ）による測位を採用できる。装置の場所を判断するＧＰＳによる測位については、屋外の場所は、ＧＰＳ位置技術に最適であるといえる。認識できるように、開催地内の装置が開催地放映信号を受信し、かつ、開催地外の装置を排除することを可能にする実質的に任意の技術を採用できる。
【００２６】
図５を参照すると、開催地放映装置５００に関するマルチメディア送受器の検討事項が例示されている。この態様において、装置５００での開催地放映信号のサポートに関する特別な意味合いを検討する。５１０に進んで、装置インフラストラクチャサポートを検討する。マルチモード（複数のマルチメディア物理層）送受器５００においては、開催地放映ネットワーク及び広域ネットワークは、同じ物理層を共有する必要がない。したがって、送受器５００は、例えば、デジタルビデオ放送（ＤＶＢ−Ｈ）インフラストラクチャ又はデジタルメディア放送（Ｔ−ＤＭＢ）インフラストラクチャ内での開催地放映に使用できる。認識できるように、更なるインフラストラクチャ入れ換えが可能である。５２０にて、装置の波形測位を行なう。この点において、測位は、開催地放映をサポートするそれぞれの波形に内蔵することができる。これは、層同期化信号を介した高速取得を含んでオールＩ及びスイッチフレームメディア論理チャンネル（ＭＬＣ）などの特長を提供できる。５３０にて、加入オプションを送受器５００に供給できる。先述したように、開催地放映は、例えば、イベントＩＰＰＶ当たり、又は、季節的にサポートされる任意の方式での加入として提供できる。放送に関する契約上の義務のために、開催地の参加を発券済み又は加入者客に限定するためにイベント当たりのキー送出が必要とされると考えられる。一般に、送受器５００は、開催地にて多重ビュー同報システムを実行して、送受器ネットワーク提供に合わせて当該ビューを既存の移動マルチメディアと一体化する特長部を提供するシステムの一部として採用できる。送受器サポート開催地放映アプリケーションの一部の成分及び送受器の他の成分により、例えば、音声及びテキストメッセージングなどの開催地放映以外の用途がサポートされる混生用途も可能である。
【００２７】
図６を参照すると、開催地放映プロセス６００が例示されている。説明の簡素化のために、その方法を一連の行為として示すと共に説明するが、この方法は、一部の行為は、１つ又はそれ以上の実施形態により、本明細書で示しかつ説明するものと異なる順番及び／又は他の行為と同時に行われる場合があるので、行為の順番により限定されないことを理解及び認識されたい。例えば、当業者は、方法は、あるいは、状態図においてなど、一連の相互に関連がある状態又はイベントとして表すことができることを理解及び認識するであろう。更に、例示していない行為を利用して、本発明により方法を実行できる。
【００２８】
６０２に進んで、プロセスが始まり、６０４にて１つ又はそれ以上のチャンネル又は層に従って様々なメディアストリームを放送する。上述したように、当該メディアストリームは、複数のカメラアングルに備えて映像ストリームを、代替の傾聴体験に備えて、音声ストリーム、イベントに従って又はイベントの周辺にて、又は、情報を検討するためにテキストストリームなどの他のデータストリームを含む。６０６にて、開催地放映信号又は一式の信号を介して複数のチャンネル又はデータストリームを受信するために装置を有効にする。これは、開催地放映信号の参入を加入者客に限定するためにイベントでの装置を随意的に有効にすることを含む。先述したように、それぞれの装置にて有効化キーを受信するために売店を設置できるか、又は、他の手段として、利用可能な測位技術を利用して装置が特定のイベントについて定義された境界内にあると判断することを含む。
【００２９】
６０８にて、装置が開催地にて供給された利用可能なメディアオプションから選択するインタフェースを提供する。これは、表示又は他のメディア体験のためにサブセットを選択するために装置制御ボタンを採用できる、選択できる１組の利用可能な信号を示すサッと気を付けの姿勢をとるカーソル表示を含む。例えば、４つで１組の利用可能なメディアビューから、装置制御ボタンにより、全画面表示に向けて単一のビューの分割表示用ビューのサブセットを選択できる。６１０に進んで、６０８にて提供されたインタフェースから所望のビュー又はメディアストリームを選択する。６１０にて、メディアオプションを選択した後に、メディア出力をそれぞれの送受器又は端末に向けて生成する。６２０にて、プロセス６００は、終了するか、又は、他のメディアオプションが決定されかつ選択されたときに６０２にて繰り返す。
【００３０】
ここで集合的に図７及び図８を参照すると、端末、オペレータネットワーク、アクセスノード、及びこれらを伴うトラフィックフローに対して開催地放映用放送に関係するシステムが呈示されている。システムは、プロセッサ、ソフトウェア、ハードウェア、ファームウェア、又は、任意の適切なこれらの組み合わせにより実行される諸機能を表すことができる一連の相互に関連がある機能ブロックとして表されている。
【００３１】
特に図７を参照すると、システム７００は、開催地放映ネットワークでの通信を容易にする。システム７００は、イベントでの複数のメディアストリームを放送する論理モジュール７０２、及び、メディアストリームを受信するサービスを有効にする論理モジュール７０４を含む。所望の表示に向けてメディアストリームのサブセットを選択するためにメディアストリームとインタフェースする論理モジュール７０６を採用できる。
【００３２】
ここで、図８を参照すると、システム８００は、開催地放映ネットワークでの受信装置からの通信を容易にする。システム８００は、イベントでの複数のメディアストリームを受信する論理モジュール８０２、及び、メディアストリームを受信するサービスを有効にする論理モジュール８０４を含む。所望の表示に向けてメディアストリームのサブセットを選択するためにメディアストリームとインタフェースする論理モジュール８０６を利用できる。
【００３３】
図９は、例えば、無線端末など、無線通信装置としての通信装置９００を例示する。更に又はあるいは、通信装置９００は、有線ネットワーク内に駐在できる。通信装置９００は、端末（及び端末に関連したトラフィックフロー）向けの開催地放映データに対して当該装置を構成する命令を保持できるメモリ９０２を含む。更に、通信装置９００は、メモリ９０２内の命令及び／又は別のネットワーク装置から受信された命令を実行する幾つかのモジュール又は装置を有することができるプロセッサ９０４を含むことができ、命令は、通信装置９００又は関連の通信装置を構成することに関係することができる。例えば、プロセッサは、利用可能な開催地放映オプションを選択できるインタフェースを実行できる。特定の選択の後、例えば、単一のビューが選択される場合、それぞれの装置９００で、その選択に関連したそれぞれのカメラアングルを全画面オプションとして表示できる。
【００３４】
本明細書で説明する１つ又はそれ以上の実施形態に向けて更なる状況を呈示するために、通信リンクにより相互接続された複数のノードを備える例示的な通信システム１０００を例示するために図１０が呈示されている。システム１０００は、無線リンクで情報を伝達するために直交周波数分割多重（ＯＦＤＭ）信号を用いる。しかしながら、他のタイプの信号、例えば、符号分割多元接続（ＣＤＭＡ）信号又は時分割多元接続（ＴＤＭＡ）信号も企図されている（陸上ネットワークにおいて利用される信号と共に）。通信システム１０００内のノードは、通信プロトコル、例えば、インターネットプロトコル（ＩＰ）に基づいて、信号、例えば、メッセージを使用した情報をやり取りする。システム１０００の通信リンクは、例えば、ワイヤ技術、光ファイバケーブル技術及び／又は無線通信技術を用いて実行できる。システム１０００は、複数のアクセスノード１０１４から１０１８を経由して通信システム１０００にアクセスする複数の終端ノード１００２から１０１２を含む。終端ノード１００２から１０１２は、例えば、無線通信装置又は端末とすることができ、アクセスノード１０１４から１０１８は、例えば、無線アクセスルータ又は基地局とすることができる。通信システム１０００は、相互接続性を提供するために、又は、特定のサービス又は機能を提供するために使用される幾つかの他のノード１０２０から１０３０も含む。
【００３５】
通信システム１０００は、全てが、それぞれ、対応するネットワークリンク１０３２から１０３８により中間ネットワークノード１０２８に接続されている、アクセス制御ノード１０２０と、移動性サポートノード１０２２と、ポリシー制御ノード１０２４と、アプリケーションサーバノード１０２６とを含むネットワーク１０６０を示している。一部の実施形態においては、アクセス制御ノード、例えば、遠隔認証ダイヤルインユーザサービス（ＲＡＤＩＵＳ）又はダイアメータサーバは、終端ノードの認証、認可、及び／又はアカウンティング及び／又は終端ノードに関連したサービスをサポートする。一部の実施形態においては、移動性サポートノード１０２２、例えば、モバイルＩＰホームエージェント及び／又はコンテキスト転送サーバは、移動性、例えば、終端ノードを起点／終点としたトラフィックの再方向づけ及び／又はアクセスノード間での終端ノードに関連した状態の転送を経由して、例えば、アクセスノード間での終端ノードのハンドオフをサポートする。一部の実施形態においては、ポリシー制御ノード１０２４、例えば、ポリシーサーバ又はポリシー決定点（ＰＤＰ）は、サービス又はアプリケーション層セッションに関するポリシー認可をサポートする。一部の実施形態においては、アプリケーションサーバノード１０２６、例えば、セッション開始プロトコルサーバ、ストリーミングメディアサーバ、又は他のアプリケーション層サーバは、終端ノードが利用可能であるサービスに関するセッション合図をサポートし、及び／又は終端ノードが利用可能なサービス又はコンテンツを供給する。
【００３６】
ネットワーク１０６０内の中間ネットワークノード１０２８は、ネットワークリンク１０３４を経由してネットワーク１０６０の観点から外部にあるネットワークノードとの相互接続性を提供する。ネットワークリンク１０３４は、中間ネットワークノード１０３０に接続されており、中間ネットワークノード１０３０は、それぞれ、ネットワークリンク１０３６から１０４０を経由してアクセスノード１０１４、１０１６、及び１０１８との更なる接続性を提供する。各アクセスノード１０１４から１０１８は、それぞれ、対応するアクセスリンク１０４２から１０５２を経由して、それぞれ、終端ノード１００２から１０１２との接続性を提供すると示されている。通信システム１０００においては、各アクセスノード１０１４から１０１８は、アクセスを提供するために無線技術、例えば、無線アクセスリンクを用いると示されている。しかしながら、アクセス提供に関連して有線技術も利用できる。無線適用エリア、例えば、各アクセスノード１０１４から１０１８の通信セル１０５４から１０５８は、対応するアクセスノードを取り囲む円として例示されている。
【００３７】
通信システム１０００は、本明細書で説明する様々な実施形態の説明の基盤として用いる。代替実施形態は、ノードの数及びタイプ（ネットワークノード、アクセスノード、終端ノード、ならびに、様々な制御ノード、サポートノード及びサービスノードを含む）、リンクの数及びタイプ、及び様々なノード間の相互接続性が通信システム１０００と異なる恐れがある様々なネットワークトポロジーを含む。更に、通信システム１０００において示されている機能的エンティティの一部は、省略かつ結合できる。これらの機能的エンティティの場所及び設置も変える。
【００３８】
図１１は、例示的な終端ノード１１００、例えば、無線端末の例を呈示する。終端ノード１１００は、終端ノード１００２から１０１２（図１０）の任意の１つとして使用できる装置の表現となっている。終端ノード１１００は、バス１１１０により共に結合された、プロセッサ１１０２と、無線通信インタフェースモジュール１１０４と、ユーザ入力／出力インタフェース１１０６と、メモリ１１０８とを含む。したがって、バス１１１０を経由して、終端ノード１１００の様々な構成部は、情報、信号及びデータをやり取りできる。終端ノード１１００の構成部１１０２から１１０８は、ハウジング１１１２の内側に位置することができる。
【００３９】
無線通信インタフェースモジュール１１０４は、終端ノード１１００の内部構成部が外部装置及びネットワークノード、例えば、アクセスノードを終点／起点として信号を送受信できる機構となる。無線通信インタフェースモジュール１１０４は、例えば、無線通信チャンネルを経由して、終端ノード１１００を他のネットワークノードに結合するために使用される、例えば、対応する受信アンテナ１１１６を有する受信器モジュール１１１４及び対応する送信アンテナ１１２０を有する送信器モジュール１１１８を含む。
【００４０】
終端ノード１１００は、ユーザ入力／出力インタフェース１１０６を介してバス１１１０に結合されている、ユーザ入力装置１１２２、例えば、キーパッド、及びユーザ出力装置１１２４、例えば、ディスプレイも含む。したがって、ユーザ入力／出力装置１１２２及び１１２４は、ユーザ入力／出力インタフェース１１０６及びバス１１１０を経由して、情報、信号及びデータを終端ノード１１００の他の構成部とやり取りできる。ユーザ入力／出力インタフェース１１０６及び関連の装置１１２２及び１１２４は、ユーザが様々なタスクを達成するために終端ノード１１００を操作できる機構となる。特に、ユーザ入力装置１１２２及びユーザ出力装置１１２４は、ユーザが終端ノード１１００、及び、終端ノード１１００のメモリ１１０８内で実行されるアプリケーション、例えば、モジュール、プログラム、ルーチン及び／又は機能を制御することを可能にする機能性を提供する。
【００４１】
プロセッサ１１０２は、メモリ１１０８内に含まれた様々なモジュール、例えば、ルーチンの制御下で、様々な搬送及び処理を行なうために終端ノード１１００の動作を制御する。メモリ１１０８内に含まれたモジュールは、起動時又は他のモジュールにより呼び出されたときに実行される。モジュールは、実行されたときに、データ、情報、及び信号をやり取りできる。モジュールは、実行されたときに、データ及び情報を共有することもできる。終端ノード１１００のメモリ１１０８は、制御搬送モジュール１１２６と、アプリケーションモジュール１１２８と、トラフィック制御モジュール１１３０とを含み、トラフィック制御モジュール１１３０は、更に、構成情報１１３２及び様々な更なるモジュールを含む。
【００４２】
制御搬送モジュール１１２６は、例えば、トラフィック制御モジュール１１３０ならび構成情報１１３２及び含まれる様々な更なるモジュールを含む終端ノード１１００の様々な態様の動作及び／又は構成を制御する信号、例えば、メッセージを送受信することに関係する処理を制御する。一部の実施形態においては、制御搬送モジュール１１２６は、終端ノード１１００の動作及び／又は制御搬送モジュール１１２６によりサポートされた１つ又はそれ以上の搬送プロトコルに関係する、状態情報、例えば、パラメータ、状態及び／又は他の情報を含む。特に、制御搬送モジュール１１２６は、構成情報、例えば、終端ノード識別情報及び／又はパラメータ設定、及び、動作情報、例えば、現在の処理状態、保留中のメッセージトランザクションの状態などの情報を含む。
【００４３】
アプリケーションモジュール１１２８は、終端ノード１１００によりサポートされた１つ又はそれ以上のアプリケーションに関係する処理及び通信を制御する。一部の実施形態においては、アプリケーションモジュール１１２８処理は、ユーザ入力／出力インタフェース１１０６を経由する情報の入力／出力、アプリケーションに関連した情報の操作、及び／又は、アプリケーションに関連した信号、例えば、メッセージの受信又は送信に関係するタスクを含む。一部の実施形態においては、アプリケーションモジュール１１２８は、アプリケーションモジュール１１２８によりサポートされた１つ又はそれ以上のアプリケーションの動作に関係する、状態情報、例えば、パラメータ、状態及び／又は他の情報を含む。特に、アプリケーションモジュール１１２８は、構成情報、例えば、ユーザ識別情報及び／又はパラメータ設定、及び動作情報、例えば、現在の処理状態、保留中の応答の状態などの情報を含む。アプリケーションモジュール１１２８によりサポートされたアプリケーションは、例えば、ボイス・オーバー・インターネット・プロトコル（ＶｏＩＰ）、ウェブブラウジング、ストリーミング音声／映像、インスタントメッセージング、ファイル共有、ゲーミングなどを含む。
【００４４】
トラフィック制御モジュール１１３０は、無線通信インタフェースモジュール１１０４を介して、データ情報、例えば、メッセージ、パケット及び／又はフレームを送受信することに関係する処理を制御する。例示的なトラフィック制御モジュール１１３０は、構成情報１１３２、ならびに、パケット及び／又はトラフィックフローのＱｏＳの様々な態様、例えば、パケットの関連シーケンスを制御する様々な更なるモジュールを含む。一部の実施形態においては、トラフィック制御の特定の態様をサポートするために必要に応じて特定の機能及び作業を行なうために、様々な更なるモジュールが含まれる。モジュールは、トラフィック制御の機能要件によっては必要に応じて省略及び／又は結合できる。トラフィック制御モジュール１１３０に含まれた各々の更なるモジュールの説明を以下で行なう。
【００４５】
受付制御モジュール１１３４は、リソース利用／利用可能性に関係する情報を維持し、かつ、特定のトラフィックフローに望ましく関連づけられたＱｏＳパラメータをサポートするのに十分なリソースが利用可能であるか否か判断する。受付制御モジュール１１３４により維持されるリソース利用可能性情報は、例えば、１つ又はそれ以上のトラフィックフローをサポートするために必要とされる、パケット及び／又はフレーム待ち行列能力と、スケジューリング能力と、ならびに、処理及びメモリ能力とを含む。制御搬送モジュール１１２６、アプリケーションモジュール１１２８、及び／又は終端ノード１１００内に含まれた他のモジュールは、新規又は修正トラフィックフローをサポートするのに十分なリソースが利用可能であるか否か判断するために受付制御モジュール１１３４に問い合わせることができ、その場合、受付制御判断は、特定のトラフィックフローのＱｏＳパラメータ及びプロファイル内で定義されたＱｏＳパラメータの関数である。構成情報１１３２は、構成情報、例えば、受付制御モジュール１１３４の動作に影響を及ぼすパラメータ設定、例えば、更なる要求を却下する前に割り当てることができるリソースの百分率を示す受付制御閾値を含む。
【００４６】
アップリンクスケジューラモジュール１１３６は、データ情報、例えば、メッセージ、パケット及び／又はフレームが、例えば、終端ノード１１００からアクセスノードに無線通信インタフェースモジュール１１０４を経由して送られるように、伝送スケジューリング、例えば、順番及び／又はタイミング、及び、伝送リソース、例えば、情報符号化速度、伝送時間スロット、及び／又は伝送電力の割当に関係する処理を制御する。アップリンクスケジューラモジュール１１３６は、伝送を予定して、１つ又はそれ以上のトラフィックフローに関連したＱｏＳパラメータの関数として伝送リソースを割り当てる。一部の実施形態においては、アップリンクスケジューラモジュール１１３６により行われるスケジューリング作業及び／又はリソース割当作業は、更に、チャンネル条件及び他の要素、例えば、電力予算の関数である。
【００４７】
アップリンクＰＨＹ／ＭＡＣモジュール１１３８は、例えば、終端ノード１１００からアクセスノードに、無線通信インタフェースモジュール１１０４を経由して、データ情報、例えば、メッセージ、パケット及び／又はフレームを送ることに関係する物理（ＰＨＹ)層及びメディアアクセス層処理（ＭＡＣ）を制御する。例えば、アップリンクＰＨＹ／ＭＡＣモジュール１１３８の動作は、データ情報、例えば、メッセージ、パケット及び／又はフレームの送信を調整するために、制御情報、例えば、信号又はメッセージを送受信する。構成情報１１３２は、アップリンクＰＨＹ／ＭＡＣモジュール１１３８の動作に影響を及ぼす構成情報、例えば、パラメータ設定、伝送に使用されるべきである、例えば、周波数、帯域、チャンネル、拡散符号又はホーピング符号（hoping code）、終端ノード１１００に関連した識別子、割当要求チャンネルなどの使用を規定する要求辞書を含む。
【００４８】
アップリンクＬＬＣ（ＡＲＱ）モジュール１１４０は、例えば、終端ノード１１００からアクセスノードに、無線通信インタフェースモジュール１１０４を介して、データ情報、例えば、メッセージ、パケット及び／又はフレームを送ることに関係する論理リンク制御（ＬＬＣ）層処理を制御する。アップリンクＬＬＣ（ＡＲＱ）モジュール１１４０は、自動再送要求（ＡＲＱ）能力に関連した処理、例えば、紛失パケット又はフレームの再送を含む。アップリンクＬＬＣ（ＡＲＱ）モジュール１１４０は、例えば、チェックサムフィールドの利用を介してタイプフィールド又は誤差検出を経由して、更なる機能性、例えば、多重プロトコル多重化／逆多重化を行なうための、上位層メッセージ、例えば、パケットへのＬＬＣヘッダ及び／又はトレーラの追加に関係する処理を更に含む。アップリンクＬＬＣ（ＡＲＱ）モジュール１１４０は、更に、アップリンクＰＨＹ／ＭＡＣモジュール１１４０により送られるべき複数の副部分（sub-portion）、例えば、フレームへの上位層メッセージ、例えば、パケットの分解を行なう。構成情報１１３２は、アップリンクＬＬＣ（ＡＲＱ）モジュール１１４０の動作に影響を及ぼす構成情報、例えば、ＡＲＱウィンドウサイズ、最大再送数、破棄タイマなどを含む。
【００４９】
アップリンク待ち行列管理モジュール１１４２は、情報を維持し、かつ、例えば、終端ノード１１００からアクセスノードに、無線通信インタフェースモジュール１１０４を経由して送られるべきデータ情報の記憶に関係する処理を制御する。アップリンク待ち行列管理モジュール１１４２は、例えば、伝送を待つデータ情報の記憶を制御し、かつ、トラフィックフロー当たりの条件で伝送を待つデータ情報に関する状態情報を維持することができ、例えば、各トラフィックフローに関連したパケットは、別個の待ち行列内に記憶できる。例えば、アップリンク待ち行列管理モジュール１１４２は、様々な待ち行列管理技術及び／又は能力、例えば、落差、尻下がり、ならびに、ランダム早期検出（ＲＥＤ）などの様々な能動待ち行列管理（ＡＱＭ）機構をサポートする。構成情報１１３２は、待ち行列制限、落差戦略（drop strategy）及び／又は１つ又はそれ以上のトラフィックフローに関連したＡＱＭ閾値など、アップリンク待ち行列管理モジュール１１４２の動作に影響を及ぼす構成情報を含む。
【００５０】
アップリンク分類器モジュール１１４４は、例えば、終端ノード１１００からアクセスノードに、無線通信インタフェースモジュール１１０４を経由して送られる前に特定のトラフィックフローに属するというデータ情報の識別に関係する処理を制御する。一部の実施形態においては、無線通信インタフェースモジュール１１０４の利用を介して送られるべきメッセージ、パケット及び／又はフレームは、１つ又はそれ以上のヘッダ及び／又はペイロードフィールドの検査に基づいて、アップリンク分類器モジュール１１４４により様々なトラフィックフローの１つに属すると分類される。アップリンク分類器モジュール１１４４による分類の結果は、アップリンク待ち行列管理モジュール１１４２ならびにメモリ１１１０８内の他のモジュールによる分類データ情報の処置に影響を及ぼす可能性がある。例えば、結果は、メッセージ、パケット及び／又はフレームが記憶に向けて関連づけられることになる特定の待ち行列を決定し、更に、スケジューリングなどのその後の処理に影響を及ぼす恐れがある。構成情報は、アップリンク分類器モジュール１１４４の動作に影響を及ぼす構成情報、データ情報、例えば、メッセージ、パケット、及び／又はフレームを１つ又はそれ以上のトラフィックフローに属すると関連づけるために使用される判定基準を規定する１つ又はそれ以上で１組の分類器フィルタ規則を含む。
【００５１】
ダウンリンクＰＨＹ／ＭＡＣモジュール１１４６は、無線通信インタフェースモジュール１１０４を経由してデータ情報を受信することに関係するＰＨＹ層及びＭＡＣ層処理を制御する。ダウンリンクＰＨＹ／ＭＡＣモジュール１１４６の動作は、データ情報の受信を調整するために制御情報を送受信することを含む。構成情報１１０４は、ダウンリンクＰＨＹ／ＭＡＣモジュール１１４６の動作に影響を及ぼす構成情報、例えば、受信に使用されるべき周波数、帯域、チャネル、拡散符号またホーピング符号（hoping code）、終端ノード１１００に関連した識別子などを含む。
【００５２】
ダウンリンクＬＬＣ（ＡＲＱ）モジュール１１４８は、無線通信インタフェースモジュール１１０４を経由してデータ情報を受信することに関係するＬＬＣ層処理を制御する。ダウンリンクＬＬＣ（ＡＲＱ）モジュール１１４８は、ＡＲＱ能力に関連した処理、例えば、紛失パケット又はフレームの再送を含む。例えば、ダウンリンクＬＬＣ（ＡＲＱ）モジュール１１４８は、上位層メッセージを封入するＬＬＣヘッダ及び／又はトレーラに関係する処理を更に含むことができ、これは、更なる機能性、例えば、チェックサムフィールドを経由してタイプフィールド又は誤差検出を介した多重プロトコル多重化／逆多重化を提供する。ダウンリンクＬＬＣ（ＡＲＱ）モジュール１１４８は、ダウンリンクＰＨＹ／ＭＡＣモジュール１１４６により受信されたフレームの、上位層メッセージへの再組立てを行なうこともできる。構成情報１１３２は、ダウンリンクＬＬＣ（ＡＲＱ）モジュール１１４８の動作に影響を及ぼす構成情報、例えば、パラメータ設定、例えば、ＡＲＱウィンドウサイズ、最大再送数、破棄タイマなどを含み、また、一部の実施形態においては、実際に含んでいる。
【００５３】
図１２は、本発明により実行される例示的なアクセスノード１２００の詳細な実例を呈示する。アクセスノード１２００は、図１０に示すアクセスノード１０１４から１０１８の任意の１つとして使用できる装置の詳細な表現となっている。図１２の実施形態においては、アクセスノード１２００は、バス１２１０により共に結合された、プロセッサ１２０２と、メモリ１２０４と、ネットワーク／ネットワーク間インタフェースモジュール１２０６と、無線通信インタフェースモジュール１２０８とを含む。したがって、バス１２１０を経由して、アクセスノード１２００の様々な構成部は、情報、信号、及びデータをやり取りできる。アクセスノード１２００の構成部１２０２からら１２１０は、ハウジング１２１２の内側に位置する。
【００５４】
ネットワーク／ネットワーク間インタフェースモジュール１２０６は、アクセスノード１２００の内部構成部が外部装置及びネットワークノードを起点／終点として信号を送受信できる機構を提供する。ネットワーク／ネットワーク間インタフェースモジュール１２０６は、例えば、銅線又は光ファイバ線を介して他のネットワークノードにノード１２００を結合するために使用される、受信器モジュール１２１４及び送信器モジュール１２１６を含む。無線通信インタフェースモジュール１２０８は、アクセスノード１２００の内部構成部が外部装置及びネットワークノード、例えば、終端ノードを起点／終点として信号を送受信できる機構を提供する。無線通信インタフェースモジュール１２０８は、例えば、対応する受信アンテナ１２２０を有する受信器モジュール１２１８及び対応する送信アンテナ１２２４を有する送信器モジュール１２２２を含む。無線通信インタフェースモジュール１２０８は、例えば、無線通信チャンネルを経由してアクセスノード１２００を他のノードに結合するために使用される。
【００５５】
メモリ１２０４内に含まれた様々なモジュール、例えば、ルーチンの制御下にあるプロセッサ１２０２は、様々な搬送及び処理を行なうためにアクセスノード１２００の動作を制御する。メモリ１２０４内に含まれたモジュールは、起動時又は他のモジュールにより呼び出されたときに実行される。モジュールは、実行されたときにデータ、情報、及び信号をやり取りできる。モジュールは、実行されたときにデータ及び情報を共有することもできる。図１２の実施形態においては、アクセスノード１２００のメモリ１２０４は、制御搬送モジュール１２２６、及び、構成情報１２３０及び様々な更なるモジュール１２３２から１２５４を更に含むトラフィック制御モジュール１２２８を含む。
【００５６】
制御搬送モジュール１２２６は、例えば、トラフィック制御モジュール１２２８ならび構成情報１２３０及びこれらに含まれた様々な更なるモジュール１２３２から１２５４を含むアクセスノード１２００の様々な態様の動作及び／又は構成を制御する信号、例えば、メッセージを送受信することに関係する処理を制御する。例えば、制御搬送モジュール１２２６は、アクセスノード１２００の動作及び／又は制御搬送モジュール１２２６によってサポートされる１つ又はそれ以上の搬送プロトコルに関係する、状態情報、例えば、パラメータ、状態及び／又は他の情報を含む。特に、制御搬送モジュール１２２６は、構成情報、例えば、アクセスノード識別情報及び／又はパラメータ設定、及び、動作情報、例えば、現在の処理状態、保留中のメッセージトランザクションの状態などの情報を含む。
【００５７】
トラフィック制御モジュール１２２８は、無線通信インタフェースモジュール１２０８を経由してデータ情報、例えば、メッセージ、パケット、及び／又はフレームを送受信することに関係する処理を制御する。例えば、トラフィック制御モジュールは、構成情報１２３０ならびにパケット及び／又はトラフィックフローに関するサービスの品質の様々な態様、例えば、関連のパケットシーケンスを制御する様々な更なるモジュール１２３２から１２５４を含む。一部の実施形態においては、トラフィック制御モジュール１２２８は、アクセスノード１２００、トラフィック制御モジュール１２２８、及び／又は含まれた様々な更なるモジュール１２３２から１２５４の１つ又はそれ以上の動作に関係する状態情報、例えば、パラメータ、状態及び／又は他の情報を含む。構成情報１２３０、例えば、パラメータ設定は、トラフィック制御モジュール１２２８及び／又は含まれた様々な更なるモジュール１２３２から１２５４の動作を決定したり、影響を与えたり、及び／又は規定するものである。様々な更なるモジュールは、一部の実施形態においては、トラフィック制御の特定の態様をサポートするために必要に応じて特定の機能及び作業を行なうために含まれている。様々な実施形態においては、モジュールは、トラフィック制御の機能要件によっては、必要に応じて省略及び／又は結合できる。トラフィック制御モジュール１２２８内に含まれた各々の更なるモジュールの説明を以下で行なう。
【００５８】
受付制御モジュール１２３２は、リソース利用／利用可能性に関係する情報を維持し、かつ、特定のトラフィックフローのサービス要件の品質をサポートするのに十分なリソースが利用可能であるか否か判断する。受付制御モジュール１２３２により維持されるリソース利用可能性情報は、例えば、１つ又はそれ以上のトラフィックフローをサポートするために必要とされる、パケット及び／又はフレーム待ち行列能力と、スケジューリング能力と、ならびに、処理及びメモリ能力とを含む。制御搬送モジュール１２２６及び／又はアクセスノード１２００内に含まれた他のモジュールは、新規又は修正トラフィックフローをサポートするのに十分なリソースが利用可能であるか否か判断するために受付制御モジュール１２３２に問い合わせることができ、その場合、受付制御判断は、特定のトラフィックフロー及び／又は利用可能なリソースのサービス要件の品質の関数である。構成情報１２３０は、受付制御モジュール１２３２の動作に影響を及ぼす構成情報、例えば、パラメータ設定、例えば、更なる要求を却下する前に割り当てることができるリソースの百分率を示す受付制御閾値を含む。
【００５９】
アップリンクスケジューラモジュール１２３４は、データ情報、例えば、メッセージ、パケット及び／又はフレームが無線通信インタフェースモジュール１２０８を経由して１つ又はそれ以上の終端ノードからアクセスノードに送られるように、伝送スケジューリング、例えば、順番及び／又はタイミング、及び、伝送リソース、例えば、情報符号化速度、伝送時間スロット、及び／又は伝送電力の割当に関係する処理を制御する。アップリンクスケジューラモジュール１２３４は、伝送を予定して、サービス要件の品質及び／又は１つ又はそれ以上のトラフィックフロー及び／又は１つ又はそれ以上の終端ノードに関連した制約事項の関数として伝送リソースを割り当てる。構成情報１２３０は、アップリンクスケジューラモジュール１２３４の動作に影響を及ぼす構成情報、例えば、１つ又はそれ以上のトラフィックフロー及び／又は終端ノードに関連した優先順位、レート限界、待ち時間限界、及び／又は共有重み付け（sharing weight）を含む。一部の実施形態においては、アップリンクスケジューラモジュール１２３４により行われるスケジューリング作業及び／又はリソース割当作業は、更に、チャンネル状態及び他の要素、例えば、電力予算の関数である。
【００６０】
ダウンリンクスケジューラモジュール１２３６は、データ情報、例えば、メッセージ、パケット及び／又はフレームが無線通信インタフェースモジュール１２０８を経由してアクセスノード１２００から１つ又はそれ以上の終端ノードに送られるように、伝送スケジューリング、例えば、順番及び／又はタイミング、及び、伝送リソース、例えば、情報符号化速度、伝送時間スロット、及び／又は伝送電力の割当に関係する処理を制御する。ダウンリンクスケジューラモジュール１２３６は、伝送を予定して、サービス要件の品質及び／又は１つ又はそれ以上のトラフィックフロー及び／又は１つ又はそれ以上の終端ノードに関連した制約事項の関数として伝送リソースを割り当てる。構成情報１２３０は、ダウンリンクスケジューラモジュール１２３６の動作に影響を及ぼす構成情報、例えば、１つ又はそれ以上のトラフィックフロー及び／又は終端ノードに関連した優先順位、レート限界、待ち時間限界、及び／又は共有重み付け（sharing weight）を含む。一部の実施形態においては、ダウンリンクスケジューラモジュール１２３６により行われるスケジューリング作業及び／又はリソース割当作業は、更に、チャンネル状態及び他の要素、例えば、電力予算の関数である。
【００６１】
アップリンクトラフィック調整（conditioner）モジュール１２３８は、例えば、終端ノードからアクセスノード１２００に、無線通信インタフェースモジュール１２０８を経由して受信された、データ情報、例えば、メッセージ、パケット、及び／又はフレームに関するトラフィック条件付け（traffic conditioning）、例えば、調量（metering）、マーキング、ポリシングなどに関係する処理を制御する。アップリンクトラヒック調整モジュール１２３８は、トラフィックを条件づけし、例えば、サービス品質要件及び／又は１つ又はそれ以上のトラフィックフロー及び／又は１つ又はそれ以上の終端ノードに関連した制約事項の関数として、調量し、マーキングし、及び／又はポリシングすることができる。構成情報１２３０は、アップリンクトラフィック調整モジュール１２３８の動作に影響を及ぼす構成情報、例えば、１つ又はそれ以上のラフィックフロー及び／又は終端ノードに関連したレート限界、及び／又はマーキング値を含む。
【００６２】
アップリンク分類器モジュール１２４０は、例えば、終端ノードからアクセスノード１２００に、アップリンクトラフィック調整モジュール１２３８を経由して処理される前に特定のトラフィックフローに属するという、無線通信インタフェースモジュール１２０８を介して受信された、データ情報、例えば、メッセージ、パケット、及び／又はフレームの識別に関係する処理を制御する。一部の実施形態においては、無線通信インタフェースモジュール１２０８を介して受信されたメッセージ、パケット、及び／又はフレームは、１つ又はそれ以上のヘッダ及び／又はペイロードフィールドの検査に基づいて、アップリンク分類器モジュール１２４０により、様々なトラフィックフローの１つに属すると分類される。アップリンク分類器モジュール１２４０による分類の結果は、アップリンクトラフィック調整モジュール１２３８による分類データ情報、例えば、メッセージ、パケット、及び／又はフレームの処理に影響を及ぼす可能性があり、例えば、結果は、メッセージ、パケット及び／又はフレームが関連づけられることになる特定のデータ構造体又は状態機械を決定し、更に、調量、マーキング、及び／又はポリシングなどのその後の処理に影響を及ぼす恐れがある。構成情報１２３０は、アップリンク分類器モジュール１２４０の動作に影響を及ぼす構成情報、データ情報、例えば、メッセージ、パケット、及び／又はフレームを１つ又はそれ以上のトラフィックフローに属すると関連づけるために使用される判定基準を規定する１つ又はそれ以上で１組の分類器フィルタ規則を含む。
【００６３】
アップリンクＬＬＣ（ＡＲＱ）モジュール１２４２は、例えば、終端ノードからノード１２００に、無線通信インタフェースモジュール１２０８を経由してデータ情報、例えば、パケット及び/又はフレームを受信することに関係するＬＬＣ層処理を制御する。アップリンクＬＬＣ（ＡＲＱ）モジュール１２４２は、ＡＲＱ能力、例えば、紛失パケット又はフレームの再送に関連した処理を含む。一部の実施形態においては、アップリンクＬＬＣ（ＡＲＱ）モジュール１２４２は、更なる機能性、例えば、チェックサムフィールドを経由してタイプフィールド又は誤差検出を介した多重プロトコル多重化／逆多重化を提供する上位層メッセージ、例えば、パケットを封入するＬＬＣヘッダ及び／又はトレーラに関係する処理を更に含む。アップリンクＬＬＣ（ＡＲＱ）モジュール１２４２は、アップリンクＰＨＹ／ＭＡＣモジュール１２４４により受信されたフレームの、上位層メッセージ、例えば、パケットへの再組立てを行なうこともできる。構成情報１２３０は、アップリンクＬＬＣ（ＡＲＱ）モジュール１２４２の動作に影響を及ぼす構成情報、例えば、ＡＲＱウィンドウサイズ、最大再送数、破棄タイマなどを含む。
【００６４】
アップリンクＰＨＹ／ＭＡＣモジュール１２４４は、例えば、終端ノードからアクセスノード１２００に、無線通信インタフェースモジュール１２０８を経由して、データ情報、例えば、パケット及び／又はフレームを受信することに関係するＰＨＹ層及びＭＡＣ層処理を制御する。一部の実施形態においては、アップリンクＰＨＹ／ＭＡＣモジュール１２４４の動作は、データ情報、例えば、メッセージ、パケット及び／又はフレームの受信を調整するために、制御情報、例えば、信号又はメッセージを送受信することを含む。構成情報１２３０は、アップリンクＰＨＹ／ＭＡＣモジュール１２４４の動作に影響を及ぼす構成情報、例えば、受信に使用されるべきである、例えば、周波数、帯域、チャンネル、拡散符号又はホーピング符号（hoping code）、アクセスノード１２００に関連した識別子などを含む。
【００６５】
ダウンリンク分類器モジュール１２４６は、例えば、アクセスノード１２００から終端ノードに、無線通信インタフェースモジュール１２０８を経由して送られる前に特定のトラフィックフローに属するという、データ情報、例えば、メッセージ、パケット、及び／又はフレームの識別に関係する処理を制御する。一部の実施形態においては、無線通信インタフェースモジュール１２０８を介して送られるべきであるメッセージ、パケット、及び／又はフレームは、１つ又はそれ以上のヘッダ及び／又はペイロードフィールドの検査に基づいて、ダウンリンク分類器モジュール１２４６により、様々なトラフィックフローの１つに属すると分類される。ダウンリンク分類器モジュール１２４６による分類の結果は、ダウンリンク待ち行列管理モジュール１２５０及び他のモジュール１２４８、１２５２、及び１２５４による分類データ情報、例えば、メッセージ、パケット、及び／又はフレームの処理に影響を及ぼす可能性があり、例えば、結果は、メッセージ、パケット及び／又はフレームが記憶に向けて関連づけられることになる特定の待ち行列を決定し、更に、スケジューリングなどのその後の処理に影響を及ぼす恐れがある。構成情報１２３０は、ダウンリンク分類器モジュール１２４６の動作に影響を及ぼす構成情報、例えば、パラメータ設定、データ情報、例えば、メッセージ、パケット、及び／又はフレームを１つ又はそれ以上のトラフィックフローに属すると関連づけるために使用される判定基準を規定する１つ又はそれ以上で１組の分類器フィルタ規則を含む。
【００６６】
ダウンリンクトラフィック調整モジュール１２４８は、例えば、アクセスノード１２００から終端ノードに、無線インタフェースモジュール１２０８を経由して送られるべきである、データ情報、例えば、メッセージ、パケット、及び／又はフレームに関するトラフィック条件付け（traffic conditioning）、調量、マーキング、ポリシングなどに関係する処理を制御する。ダウンリンクトラフィック調整モジュール１２４８は、トラフィックを条件づけし、例えば、サービス品質要件及び／又は１つ又はそれ以上のトラフィックフロー及び／又は１つ又はそれ以上の終端ノードに関連した制約事項の関数として、調量し、マーキングし、及び／又はポリシングすることができる。構成情報１２３０として、ダウンリンクトラフィック調整モジュール１２４８の動作に影響を及ぼす構成情報、例えば、１つ又はそれ以上のトラフィックフロー及び／又は終端ノードに関連したレート限界、及び／又はマーキング値を含む。
【００６７】
ダウンリンク待ち行列管理モジュール１２５０は、情報を維持し、かつ、例えば、アクセスノード１２００から終端ノードに、無線通信インタフェースモジュール１２０８を経由して送られるべきデータ情報、例えば、メッセージ、パケット、及び／又はフレームの記憶に関係する処理を制御する。ダウンリンク待ち行列管理モジュールは、伝送を待つデータ情報の記憶を制御し、かつ、トラフィックフロー当たりの条件で伝送を待つデータ情報に関する状態情報を維持することができ、例えば、各トラフィックフローに関連したパケットは、別個の待ち行列内に記憶できる。一部の実施形態においては、ダウンリンク待ち行列管理モジュール１２５０は、様々な待ち行列管理技術及び／又は能力、例えば、落差、尻下がり、ならびに、ＲＥＤなどの様々なＡＱＭ機構をサポートする。構成情報１２３０は、ダウンリンク待ち行列管理モジュール１２５０の動作に影響を及ぼす構成情報、例えば、待ち行列制限、落差戦略（drop strategy）及び／又は１つ又はそれ以上のトラフィックフローに関連したＡＱＭ閾値を含む。
【００６８】
ダウンリンクＬＬＣ（ＡＲＱ）モジュール１２５２は、例えば、アクセスノード１２００から終端ノードに、無線通信インタフェースモジュール１２０８を介して、データ情報、例えば、メッセージ、パケット及び／又はフレームを送ることに関係するＬＬＣ層処理を制御する。ダウンリンクＬＬＣ（ＡＲＱ）モジュール１２５２は、ＡＲＱ能力に関連した処理、例えば、紛失パケット又はフレーム再送を含む。一部の実施形態においては、ダウンリンクＬＬＣ（ＡＲＱ）モジュール１２５２は、チェックサムフィールドを介してタイプフィールド又は誤差検出を経由して、更なる機能性、例えば、多重プロトコル多重化／逆多重化を行なうための、上位層メッセージ、例えば、パケットへのＬＬＣヘッダ及び／又はトレーラの追加に関係する処理を更に含む。ダウンリンクＬＬＣ（ＡＲＱ）モジュール１２５２は、ダウンリンクＰＨＹ／ＭＡＣモジュール１２５４により送られるべき複数の副部分（sub-portion）、例えば、フレームへの上位層メッセージ、例えば、パケットの分解を行なうこともできる。構成情報１２３０は、ダウンリンクＬＬＣ（ＡＲＱ）モジュール１２５２の動作に影響を及ぼす構成情報、例えば、ＡＲＱウィンドウサイズ、最大再送数、破棄タイマなどを含む。
【００６９】
ダウンリンクＰＨＹ／ＭＡＣモジュール１２５４は、例えば、アクセスノード１２００から終端ノードに、無線通信インタフェースモジュール１２０８を経由して、データ情報、例えば、メッセージ、パケット及び／又はフレームを送ることに関係するＰＨＹ層及びＭＡＣ層処理を制御する。一部の実施形態においては、ダウンリンクＰＨＹ／ＭＡＣモジュール１２５４の動作は、データ情報、例えば、メッセージ、パケット、又はフレームの送信を調整するために、制御情報、例えば、信号又はメッセージを送受信することを含む。構成情報１２３０は、ダウンリンクＰＨＹ／ＭＡＣモジュール１２５４の動作に影響を及ぼす構成情報、例えば、送信に使用されるべきである、周波数、帯域、チャンネル、拡散符号又はホーピング符号（hoping code）、アクセスノード１２００に関連した識別子などを含む。
【００７０】
図１３は、例示的な終端ノード１１００及び例示的なアクセスノード１２００内に含まれた様々なモジュール間の例示的な搬送フロー及びトラフィックフローを例示する。図１３の終端ノード１１００及び図１３のアクセスノード１２００は、それぞれ、図１１の終端ノード１１００及び図１２のアクセスノード１２００の簡素化した表現となっている。図１３の実施例は、データ情報、例えば、メッセージ、パケット、又はフレームのシーケンスを備えるトラフィックフローを送受信するアプリケーションモジュール１１２８を示す。図１０の例示的なシステムという状況においては、図１３の終端ノード１１００は、図１０に示す終端ノード１００２から１０１２の任意の１つとすることができ、図１３の終端ノード１１００内に含まれたアプリケーションモジュール１１２８は、本システムの別のノード、例えば、別の終端ノード１００２から１０１２又は図１０に示すようなアプリケーションサーバノード１０２６とデータ情報をやり取りしていると考えられる。図１３及びその後の説明においては、図１３の終端ノード１１００がデータ情報をやり取りしているノードは、対応するノードという。
【００７１】
データ情報、例えば、終端ノード１１００内のアプリケーションモジュール１１２８から対応するノードに送られるデータ情報、例えば、メッセージ、パケット、又はフレームのシーケンスを備えるトラフィックフローは、処理に向けて終端ノード１１００内に含まれたモジュール１１３８から１１４４のシーケンスを通るように矢印１３０２から１３０８のシーケンスにより示されており、この後、データ情報は、例えば、無線通信インタフェースモジュール１１０４を経由して終端ノード１１００からアクセスノード１２００に送られる。例えば、無線通信インタフェースモジュール１２０８を経由した、アクセスノード１２００による受信後、データ情報、例えば、終端ノード１１００内のアプリケーションモジュール１１２８から対応するノードに送られる、メッセージ、パケット、又はフレームのシーケンスを備えるトラフィックフローは、アクセスノード１２００から、例えば、ネットワーク／ネットワーク間インタフェースモジュール１２０６を経由してアクセスノードに接続された中間ノードにルーティング情報に従って方向づけされた対応するノードに向かって転送される前に、処理に向けてアクセスノード１２００内に含まれたモジュール１２３８から１２４４のシーケンスを通るように、矢印１３１０から１３１８のシーケンスにより示されている。
【００７２】
データ情報、例えば、対応するノードから終端ノード１１２８内のアプリケーションモジュール１１２８に送られる、メッセージ、パケット、又はフレームのシーケンスを備えるトラフィックフローは、例えば、ネットワーク／ネットワーク間インタフェースモジュール１２０６を経由してアクセスノード１２００により受信され、その後、処理に向けてアクセスノード１２００内に含まれたモジュール１２４６から１２５４のシーケンスを通るように、矢印１３２０から１３２８のシーケンスにより示されており、その後、データ情報は、例えば、無線通信インタフェースモジュール１２０８を介して、アクセスノード１２００から終端ノード１１００に送られる。例えば、無線通信インタフェースモジュール１１０４を経由した、終端ノード１１００による受信後、データ情報、例えば、対応するノードから終端ノード１１００内のアプリケーションモジュール１１２８に送られる、メッセージ、パケット、又はフレームのシーケンスを備えるトラフィックフローは、終端ノード１１００内のアプリケーションモジュール１１２８に送出される前に、処理に向けて終端ノード１１００内に含まれたモジュール１１４６及び１１４８のシーケンスを通るように、矢印１３３０から１３３４のシーケンスにより示されている。
【００７３】
データ情報、例えば、トラフィックフローのやり取りに加えて、図１３は、制御情報、例えば、搬送フロー及び／又は通信インタフェースのやり取りも示す。特に、図１３の実施例は、アクセスノード１２００内に含まれた制御搬送モジュール１２２６とトラフィック制御モジュール１２２８との間の制御情報のやり取りを示す。同様に、図１３の実施例は、終端ノード１１００内に含まれた搬送モジュール１１２６とトラフィック制御モジュール１１３０との間の制御情報のやり取りを示す。アクセスノード１２００と終端ノード１１００の両方においては、図示するようなモジュール間の制御情報のやり取りにより、アクセスノード１２００／終端ノード１１００内のそれぞれの制御搬送モジュール１２２６／１１２６は、データ情報、例えば、終端ノード１１００内のアプリケーションモジュール１１２８を起点／終点としたトラフィックフローのサービス処理の適切な品質を提供するために、必要に応じて、それぞれのトラフィック制御モジュール１２２８／１１３０内に含まれた様々なモジュールの構成及び／又は動作に影響を与える、例えば、様々なモジュールの構成及び／又は動作を設定、修正及び／又はモニタできる。
【００７４】
制御情報、例えば、搬送フロー及び／又は通信インタフェースのやり取りは、ａ）別のノードとアクセスノード１２００内の制御搬送モジュール１２２６との間、ｂ）終端ノード１１００内のアプリケーションモジュール１１２８と終端ノード１１００内の制御搬送モジュール１１２６との間、及びｃ）アクセスノード１２００及び終端ノード１１００内のそれぞれの制御搬送モジュール１２２６／１１２６との間でも示されている。制御情報、例えば、搬送フロー及び／又は通信インタフェースのこれらのやり取りにより、アクセスノード１２００及び終端ノード１１００の両方のトラフィック制御モジュール１２２８／１１３０の構成及び／又は動作は、ａ）１つ又はそれ以上の更なるノード、例えば、アクセス制御ノード１０２０及び／又はアプリケーションサーバノード１０２６、ｂ）終端ノード１１００内のアプリケーションモジュール１１２８、又は、ｃ）１つ又はそれ以上の更なるノード及び終端ノード１１００内のアプリケーションモジュール１１２８の組み合わせにより影響を受ける。本発明の様々な実施形態は、必要に応じて、示した制御情報やり取りの全て又はサブセットのみをサポートできるし、かつ、確かに行なう。
【００７５】
以上説明した内容は、１つ又はそれ以上の実施形態の実施例を含む。言うまでもなく、前述の種々の実施形態を説明するために構成部又は方法の全ての考えられる組み合わせを説明することは不可能であるが、当業者は、様々な実施形態の多くの更なる組み合わせ及び入れ替えが可能であることを認識するであろう。したがって、説明した種々の実施形態は、添付の特許請求の範囲の精神及び範囲内に該当する全ての当該の変更、修正、及び変形を包含することを意図する。更に、「を含む」という用語が詳細な説明又は特許請求の範囲で使用される範囲で、このような用語は、「を備える」が採用時には請求項の移行部として解釈されるように「を備える」という用語と同様に包括的であることを意図する。
【図面の簡単な説明】
【００７６】
【図１】通信環境内での開催地放映を説明するために提供されるシステムの高レベルブロック図である。
【図２】装置に関する例示的なネットワークサポートオプションの図である。
【図３】開催地放映装置の例示的なインタフェース検討事項を示す図である。
【図４】開催地放映環境に関する検討事項を有効にする随意的な装置を例示する図である。
【図５】開催地放映装置に関するマルチメディア送受器の検討事項を示す図である。
【図６】例示的な開催地放映プロセスを例示する図である。
【図７】シーケンスメッセージ及び登録を処理する処理する例示的な論理モジュールを例示する図である。
【図８】シーケンスメッセージ及び登録を処理する処理する例示的な論理モジュールを例示する図である。
【図９】通信リンクを形成するために順次データを採用する例示的な通信装置を例示する図である。
【図１０】例示的な通信システムを例示する図である。
【図１１】例示的な終端ノードを例示する図である。
【図１２】例示的なアクセスノードを例示する図である。
【図１３】例示的なアクセスノードと通信する例示的な終端ノードを例示する図である。
【図１】
2009528792.tif 000003
【図２】
2009528792.tif 000004
【図３】
2009528792.tif 000005
【図４】
2009528792.tif 000006
【図５】
2009528792.tif 000007
【図６】
2009528792.tif 000008
【図７】
2009528792.tif 000009
【図８】
2009528792.tif 000010
【図９】
2009528792.tif 000011
【図１０】
2009528792.tif 000012
【図１１】
2009528792.tif 000013
【図１２】
2009528792.tif 000014
【図１３】
2009528792.tif 000015
【国際調査報告】
2009528792.tif 000016
2009528792.tif 000017
2009528792.tif 000018